(57)【特許請求の範囲】
【請求項１】
通話機能を含む複数の機能を実行可能であって、該機能及び該機能それぞれに対応するアイコン画像を格納する記憶手段と、表示手段とを備える携帯電話機において、
通話以外の機能を実行中に着信が発生した場合に、実行中の機能を検出して、該実行中の機能を終了することなく前記記憶手段に一時格納するとともに、該実行中の機能に対応するアイコン画像を選択する操作以外の操作を受け付けない非操作状態に移行させる着信時制御手段と、
前記着信時制御手段によって非操作状態に移行された実行中の機能が存在する場合に、該実行中の機能に対応するアイコン画像を前記表示手段に表示する表示制御手段と、
前記表示手段に表示されたアイコン画像を選択する操作が行われた場合に、該アイコン画像に対応する実行中の機能を入力操作を受け付ける実行状態に移行させる呼出手段と、
を備えることを特徴とする携帯電話機。
【請求項２】
通話機能を含む複数の機能を実行可能であって、該機能及び該機能それぞれに対応するアイコン画像を格納する記憶手段と、表示手段とを備える携帯電話機において、
通話以外の機能を実行中に着信が発生した場合に、実行中の機能を検出して、該実行中の機能を終了することなく該実行中の機能に対応する前記アイコン画像を対応付けて前記記憶手段に一時格納するとともに、該実行中の機能に対応するアイコン画像を選択する操作以外の操作を受け付けない非操作状態に移行させる着信時制御手段と、
前記着信時制御手段によって非操作状態に移行された実行中の機能が存在する場合に、該実行中の機能に対応付けて前記記憶手段に記憶されたアイコン画像を前記表示手段に表示する表示制御手段と、
前記表示手段に表示されたアイコン画像を選択する操作が行われた場合に、該アイコン画像に対応する実行中の機能を入力操作を受け付ける実行状態に移行させる呼出手段と、
を備えることを特徴とする携帯電話機。
【請求項３】
前記表示制御手段は、
前記着信時制御手段によって非操作状態に移行された実行中の機能が存在する場合、前記通話機能の終了後、前記表示手段に待受画面を表示させるとともに、該表示手段に該実行中の機能に対応するアイコン画像を表示させることを特徴とする請求項１又は２に記載の携帯電話機。
【発明の詳細な説明】
【０００１】
【発明の属する技術分野】
本発明は、通話機能を含む複数の機能を実行可能な携帯電話機に関する。
【０００２】
【従来の技術】
近年、携帯電話機に、通話機能の他にスケジュール管理や文字メッセージの送受信、ウェブページの閲覧等、様々な機能を実現するアプリケーションプログラムが搭載されるようになっている。現行の携帯電話機においては、これら複数のアプリケーションプログラムは、順次切り替えて実行される。
【０００３】
そこで、次世代の携帯電話においては、複数のアプリケーションプログラムを並行して実行できるマルチアプリケーション機能が提案されている。
【０００４】
【発明が解決しようとする課題】
一般に、通話機能以外のアプリケーションプログラムを終了させるためのキーとしては、オンフックキーが割り当てられる。
オンフックキーは、もともと通話を終了するためのキーとして携帯電話機に搭載されているものであるが、ユーザには「動作を終了するキー」として認知されている。このため、オンフックキーを、機能を終了させるキーとして割り当てることにより、操作の統一性を保つことができる。
【０００５】
ところが、アプリケーションプログラムを終了させるキーとしてオンフックキーを割り当てると、意図せずアプリケーションプログラムを終了させてしまうという事態が想定される。
【０００６】
すなわち、アプリケーションプログラムの実行中に、通話が着信した場合、携帯電話機においては通話機能が優先的に実行されるとともに、着信時に実行していた機能も並行して実行される。そして、ユーザがオンフックキーを押下して通話が終了すると、通話機能の終了ともに、先に実行していたアプリケーションプログラムがアクティブなアプリケーションとして、継続して実行される。
ここで、通話終了時に、オンフックキーを誤って２回押下してしまうと、通話機能が終了されるのに続いて、実行中であったアプリケーションプログラムまで終了してしまう。
【０００７】
携帯電話機は片手で操作されることが多く、１回だけ押下すべきキーを誤って続けて押下してしまうことは、容易に想定される誤操作である。また、通常、携帯電話で通話をする際には、画面を見ないことが多いので、通話直後の携帯電話機の動作状態をユーザが把握することも困難である。従って、通話終了時にオンフックキーを操作する際、ユーザは、意図的に画面を注視しながら、通話機能以外のアプリケーションプログラムを終了させないように注意して操作しなければならず、利便性の低下が懸念される。
【０００８】
本発明の課題は、複数の機能を搭載した場合であっても、操作の利便性を確保しつつ、誤操作による影響を避けることが可能な携帯電話機を提供することである。
【０００９】
【課題を解決するための手段】
以上の課題を解決するため、
通話機能を含む複数の機能を実行可能であって、該機能及び該機能それぞれに対応するアイコン画像を格納する記憶手段と、表示手段とを備える携帯電話機において、
通話以外の機能を実行中に着信が発生した場合に、実行中の機能を検出して、該実行中の機能を終了することなく前記記憶手段に一時格納するとともに、該実行中の機能に対応するアイコン画像を選択する操作以外の操作を受け付けない非操作状態に移行させる着信時制御手段と、
前記着信時制御手段によって非操作状態に移行された実行中の機能が存在する場合に、該実行中の機能に対応するアイコン画像を前記表示手段に表示する表示制御手段と、
前記表示手段に表示されたアイコン画像を選択する操作が行われた場合に、該アイコン画像に対応する実行中の機能を入力操作を受け付ける実行状態に移行させる呼出手段と、
を備えることを特徴としている。
【００１０】
【発明の実施の形態】
以下、図１〜図６を参照して、本発明の実施の形態における携帯電話機の構成、および動作について説明する。
【００１１】
［第１の実施の形態］
図１は、本発明に係る第１の実施の形態における携帯電話機１の概略構成を示す外観図である。また、図２は、携帯電話機１が有する制御系１００の機能的構成を示すブロック図である。
【００１２】
まず、構成を説明する。
図１に示すように、携帯電話機１は、本体２の前面上部にスピーカー６を備え、下部にはマイク７を備えるとともに、最上部にアンテナ８を具備する電話機である。また、本体２の前面には、ＬＣＤ等によってなる表示画面３が配置され、表示画面３の下方にはアプリケーション操作部４が配置されている。アプリケーション操作部４は、携帯電話機１において利用可能なアプリケーションプログラムの操作等、通話以外の操作を行うための複数のキーを備えている。
【００１３】
さらに、本体２の前面において、アプリケーション操作部４の下方には、数字キー、「＊」および「＃」等の文字キー、および、オフフックキー５１、オンフックキー５２を備えたキー入力部５が配設されている。
オフフックキー５１は、通話の開始を指示するためのキーであり、オンフックキー５２は、通話の終了を指示するためのキーである。また、オンフックキー５２は、携帯電話機１において実行可能な通話以外の機能について、その終了を指示するキーとしても機能する。
【００１４】
続いて、携帯電話機１に内蔵される制御系１００の構成について説明する。
図２に示すように、制御系１００は、ＣＰＵ（Central Processing Unit ）１０１、ＲＯＭ（Read Only Memory）１０２、ＲＡＭ（Random Access Memory）１０３、ベースバンド部１０４、ＲＦ部１０５、コーデック１０６、入力部１０８および入力部１０８の各部を備えて構成される。なお、説明の便宜のために、図２には、図１のスピーカー６、マイク７、アンテナ８の各部を図示する。
【００１５】
ＣＰＵ１０１は、ＲＯＭ１０２およびＲＡＭ１０３を内蔵しており、さらに、ベースバンド部１０４、コーデック１０６、表示部１０７および入力部１０８に接続されている。
【００１６】
ＣＰＵ１０１は、内蔵するＲＯＭ１０２に格納された基本制御プログラムを読み出して、ＲＡＭ１０３に設けられるワークエリアに展開して実行し、制御系１００の各部を制御する。
【００１７】
また、ＣＰＵ１０１は、ＲＯＭ１０２に格納された各種アプリケーションプログラムを実行することにより、携帯電話機１の各種機能を実現する。
例えば、ＣＰＵ１０１は、ＲＯＭ１０２に格納された電子メール編集プログラムを実行することによって、携帯電話機１によるメール編集機能を実現する。同様に、ＣＰＵ１０１は、ＲＯＭ１０２に格納されたウェブページ閲覧プログラムを実行することにより、携帯電話機１によってウェブページ閲覧機能を実現する。
【００１８】
なお、携帯電話機１によって閲覧可能なウェブページとしては、ＨＴＭＬ（Hypertext Markup Language）やＸＭＬ（eXtensible Markup Language ）、ＤＨＴＭＬ（Dynamic HTML ）等のマークアップ言語により記述されたウェブページ等が挙げられるが、特に限定されるものではなく、例えば、単にＨＴＭＬファイルのみで構成されるもの、ＧＩＦ（Graphics Interchange Format ）やＪＰＥＧ（Joint Photographic Experts Group）、ＴＩＦＦ（Tagged Image File Format）、ＢＭＰ（ビットマップ）等の規格に準拠した形式の画像データファイルを含むもの、ＭＰ３（MPEG-1 Audio Layer-III）、ＭＩＤＩ（Musical Instrument Digital Interface）等の規格に準拠した形式の音声データファイルを含むもの、ＣＧＩ（Common Gateway Interface）やＡＳＰ（Active Server Pages ）等により外部プログラムが提供されるものや、Ｊａｖａ（登録商標）スクリプト、ＶＢ（Visual Basic）スクリプト等のスクリプト言語による記述を含むもの等、一般的なウェブブラウザにより処理可能であれば良い。さらに、特定の機器向けに拡張された仕様の上記マークアップ言語により記述されたファイルであっても良い。
【００１９】
さらに、ＣＰＵ１０１は、アプリケーションプログラムの動作時に着信があった場合、実行中のアプリケーションプログラムをアイコン化して着信処理を行うとともに、通話が終了した時点で、アイコンを含む待受画面を表示させ、待機状態に移行する。そして、入力部１０８における指示入力によって所定のアイコンが指定されると、指定されたアイコンに対応するアプリケーションプログラムを操作可能な状態に移行する。
【００２０】
このほか、ＲＯＭ１０２に格納され、ＣＰＵ１０１によって実行可能なアプリケーションプログラムとしては、ゲーム機能、スケジュール管理機能、カレンダー機能、ＲＯＭ１０２に格納されたプログラムのアップデート機能などを実現するプログラムが挙げられるが、携帯電話機１単体で利用可能な機能と、携帯電話機１が基地局（図示略）を介して通信回線に接続されることで利用可能となる機能とを問わず、様々な機能を実現するプログラムを適用可能である。
【００２１】
ＲＯＭ１０２は、携帯電話機１の基本制御プログラム、各種アプリケーションプログラム、および、これらプログラムに係るデータ等を、ＣＰＵ１０１により読みとり可能な形態で格納する。なお、ＲＯＭ１０２に格納されるプログラムやデータ等は、予めＲＯＭ１０２に書き込まれている構成としても良いし、あるいは、基地局（図示略）と携帯電話機１との間で確立される無線通信回線を介して送信されたものであっても良い。
【００２２】
ＲＡＭ１０３は、ＣＰＵ１０１により実行される基本制御プログラム、各種アプリケーションプログラム、および、これらプログラムに係るデータ等を一時的に格納するワークエリアを形成する。
【００２３】
ＲＦ部１０５は、アンテナ８およびベースバンド部１０４に接続されており、アンテナ８を介して所定の周波数帯における音声信号およびデータの送受信を行う送受信回路を内蔵する。そして、ＲＦ部１０５は、アンテナ８を介して受信した信号を増幅および周波数変換してベースバンド部１０４へ出力する一方、ベースバンド部１０４から入力される信号の周波数変換および増幅を行って、アンテナ８を介して送信する。
【００２４】
ベースバンド部１０４は、ＲＦ部１０５、コーデック１０６およびＣＰＵ１０１に接続され、ＣＰＵ１０１の制御に従って、ＲＦ部１０５によりアンテナ８を介して受信されたＲＦ信号を復調してＣＰＵ１０１およびコーデック１０６へ出力する一方、ＣＰＵ１０１およびコーデック１０６から入力された音声やデータの信号を変調して、ＲＦ部１０５へ出力する。
【００２５】
コーデック１０６は、ベースバンド部１０４およびＣＰＵ１０１に接続されており、ベースバンド部１０４およびＣＰＵ１０１から入力されたデジタル信号をアナログ音声信号に変換してスピーカー６へ出力するとともに、マイク７から入力されたアナログ音声信号をデジタル信号に変換して、ＣＰＵ１０１およびベースバンド部１０４へ出力する。
【００２６】
表示部１０７は、ＣＰＵ１０１と、図１に示す表示画面３とに接続されており、ＣＰＵ１０１から入力される表示情報に従って、各種画面を表示画面３に表示させる。
【００２７】
入力部１０８は、ＣＰＵ１０１と、図１に示すアプリケーション操作部４およびキー入力部５とに接続されており、アプリケーション操作部４およびキー入力部５において操作されたキーに対応する操作信号を生成して、ＣＰＵ１０１へ出力する。
【００２８】
次に、本第１の実施の形態における動作を説明する。図３は、携帯電話機１の動作を示すフローチャートである。
【００２９】
図３に示す処理において、ＣＰＵ１０１は、まず、入力部１０８からの指示入力によって指定されたアプリケーションプログラムを、ＲＯＭ１０２から読み出して実行する（ステップＳ１１）。
【００３０】
このアプリケーションプログラムの実行を開始してから、携帯電話機１に対する着信が発生すると（ステップＳ１２）、ＣＰＵ１０１は、実行中のアプリケーションプログラムをアイコン状態に移行させ、画面の隅に表示させる（ステップＳ１３）。
【００３１】
ここで、アイコン状態とは、ユーザによる直接の操作が行われない状態を指す。例えば、ＣＰＵ１０１により実行される電子メール編集プログラムは、ユーザの操作に応じて順次編集処理を行うものであり、常にユーザの操作を待機している。従って、電子メール編集プログラムをアイコン化する場合、ＣＰＵ１０１は、編集中のメールの内容を保持しながら、ユーザの操作を待機したままの状態を保持させる。
【００３２】
また、例えば、基地局（図示略）と携帯電話機１との間に確立された無線通信回線を介して所定のサーバにアクセスし、プログラムやデータをダウンロードするプログラムは、実行開始後、ダウンロード完了やエラーが発生しない限りは、ユーザによる操作を必要としない。このため、該プログラムをアイコン化する場合、ＣＰＵ１０１は、バックグラウンドにおける処理として、該プログラムを継続して実行する。
【００３３】
このように、ＣＰＵ１０１は、アプリケーションプログラムをアイコン化する際に、該アプリケーションプログラムがユーザの操作を必要とする状態であれば、ユーザの操作を待機する状態で一時停止させ、ユーザの操作を必要としない状態であれば、そのままバックグラウンドで実行する。つまり、いずれの場合においても、該アプリケーションプログラムに関する入力部１０８からの入力を受け付けない状態に移行する。
【００３４】
そして、ＣＰＵ１０１はオフフックキー５１（図１）が操作されるまで待機し、オフフックキー５１が操作されると（ステップＳ１４；Ｙｅｓ）、携帯電話機１と基地局（図示略）との間の無線通信回線を確立して、音声通話を行う通話処理に移行する（ステップＳ１５）。通話処理開始後、ＣＰＵ１０１は、オンフックキー５２（図１）が操作されるまで待機する（ステップＳ１６）。
【００３５】
通話が終了し、ユーザによってオンフックキー５２が操作されると（ステップＳ１６；Ｙｅｓ）、ＣＰＵ１０１は、通話を終了して、携帯電話機１と基地局（図示略）との間の無線通信回線を切断する終話処理を行う（ステップＳ１７）。
【００３６】
続いて、ＣＰＵ１０１は、アイコン化された状態のアプリケーションプログラムを検索し（ステップＳ１８）、検出されたアプリケーションプログラムに対応するアイコンを含む待受画面を、表示部１０７によって表示させる（ステップＳ１９）。
【００３７】
ここで、アプリケーション操作部４ないしキー入力部５において、表示中のアイコンを選択指定する操作が行われると（ステップＳ２０；Ｙｅｓ）、ＣＰＵ１０１は、指定されたアプリケーションプログラムを実行状態に移行させる（ステップＳ２１）。この実行状態とは、該アプリケーションプログラムを着信時に実行していた状態、すなわち、該アプリケーションプログラムに関する入力部１０８からの入力を受け付ける状態を指す。
【００３８】
なお、上記の処理において表示されるアイコンの画像は、予めＲＯＭ１０２に格納されたものである。また、ＲＯＭ１０２に格納されたアプリケーションプログラムは、その実行が指示されるとＲＡＭ１０３上に展開されて実行される。そして、アプリケーションプログラムの実行中に着信が発生すると、実行中の各アプリケーションプログラムに対してアイコンが対応づけられて、これらアイコンとアプリケーションプログラムとを対応づける情報がＲＡＭ１０３に格納される。
【００３９】
図４は、図３に示す処理において表示画面３（図１）に表示される画面の例を示す図であり、（ａ）はメール編集画面３０１を示し、（ｂ）は着信画面３０２を示し、（ｃ）は通話中画面３０３を示し、（ｄ）は待受画面３０４を示し、（ｅ）はメール編集画面３０１を示す。
【００４０】
携帯電話機１において電子メール編集プログラムを実行した場合、表示画面３の画面上には、図４（ａ）に示すように、メール編集画面３０１が表示される。
【００４１】
ここで、携帯電話機１に着信があると、実行中の電子メール編集プログラムがアイコン化され、表示画面３の画面上には、図４（ｂ）に示すように着信画面３０２が表示される。
【００４２】
そして、オフフックキー５１（図１）が操作され、通話が開始されると、表示画面３の画面上には、図４（ｃ）に示すように通話中画面３０３が表示される。
【００４３】
その後、オンフックキー５２（図１）が操作され、通話が終了すると、表示画面３の画面上には、図４（ｄ）に示すように待受画面３０４が表示される。ここで、電子メール編集プログラムがアイコン化されているため、待受画面３０４には、電子メール編集プログラムに対応するアイコン３０５が表示されている。
【００４４】
そして、アプリケーション操作部４ないしキー入力部５の操作によって、アイコン３０５が選択指定されると、アイコン化されていた電子メール編集プログラムが実行状態に移行し、表示画面３の画面上には、図４（ｅ）に示すようにメール編集画面３０１が表示される。
【００４５】
従って、通話が終了した時点で、表示画面３には待受画面３０４が表示されているので、この状態でオンフックキー５２を押下しても、動作の切り替えは行われない。これにより、通話終了時にオンフックキー５２を複数回操作してしまっても、待受画面３０４が表示されるので、誤操作に起因する処理が進行してしまう恐れがなく、携帯電話機１の操作を快適にすることができる。
【００４６】
また、アイコン化されたアプリケーションプログラムは、待受画面３０４に表示されるアイコン３０５を選択指定することによって、容易に実行させることができる。そして、アイコン化されたアプリケーションプログラムは、アイコン３０５によって、アイコン化されていないプログラムと差別化できる。
これにより、ユーザは、通話の前に実行していたプログラムが何であったかを容易に知ることができるので、携帯電話機１の利便性をより一層向上させることができる。
【００４７】
なお、上記第１の実施の形態における記述内容は、本発明に係る携帯電話機の好適な一例であり、本発明はこれに限定されるものではない。
例えば、待受画面３０４としては、アイコン３０５が１個だけ表示される例を示したが、本発明はこれに限定されず、複数のアイコンを表示させることも勿論可能であり、さらに、アイコン３０５が表示された状態で、その他の機能を呼び出して実行させることも可能である。
【００４８】
また、例えば、本実施の形態では、実行中のアプリケーションプログラムをアイコン３０５として待受画面３０４に表示するものとしたが、これに限らず、例えばメニュー表示機能を利用しても良い。
以下、この例について、第２の実施の形態として説明する。
【００４９】
［第２の実施の形態］
図５および図６を参照して、第２の実施の形態について説明する。なお、本第２の実施の形態においては、携帯電話機１の構成は上記第１の実施の形態と同様であり、その構成については図示および説明を省略する。
【００５０】
図５は、本発明を適用した第２の実施の形態における携帯電話機１の動作を示すフローチャートである。
図５に示す処理において、ＣＰＵ１０１は、まず、入力部１０８からの指示入力によって指定されたアプリケーションプログラムを、ＲＯＭ１０２から読み出して実行する（ステップＳ３１）。
【００５１】
このアプリケーションプログラムの実行を開始してから、携帯電話機１に対する着信が発生すると（ステップＳ３２）、ＣＰＵ１０１は、実行中のアプリケーションプログラムを呼出メニューリストに追加する（ステップＳ３３）。
【００５２】
ここで、呼出メニューリストとは、着信時に実行していたアプリケーションプログラムが登録されるもので、メニューリストの一種である。この呼出メニューリストは、複数のアプリケーションを実行可能な携帯電話機における一般的なメニューリストとは、別に設けられ、ＲＡＭ１０３に格納される。呼出メニューリストに追加されたアプリケーションプログラムは、ユーザによる直接の操作が行われない状態に移行する。例えば、ＣＰＵ１０１により実行される電子メール編集プログラムは、ユーザの操作に応じて順次編集処理を行うものであり、常にユーザの操作を待機している。従って、ステップＳ３１で電子メール編集プログラムが実行された場合、ＣＰＵ１０１は、編集中のメールの内容を保持しながら、ユーザの操作を待機したままの状態を保持させる。
【００５３】
また、例えば、基地局（図示略）と携帯電話機１との間に確立された無線通信回線を介して所定のサーバにアクセスし、プログラムやデータをダウンロードするプログラムは、実行開始後、ダウンロード完了やエラーが発生しない限りは、ユーザによる操作を必要としない。このため、該プログラムがステップＳ３１で実行された場合、ＣＰＵ１０１は、バックグラウンドにおける処理として、該プログラムを継続して実行する。
【００５４】
このように、ＣＰＵ１０１は、アプリケーションプログラムを呼出メニューリストに追加する際に、該アプリケーションプログラムがユーザの操作を必要とする状態であれば、ユーザの操作を待機する状態で一時停止させ、ユーザの操作を必要としない状態であれば、そのままバックグラウンドで実行する。つまり、いずれの場合においても、アイコンを選択指定したり、呼出メニューリストから呼び出す操作をしたりしない限りは、該アプリケーションプログラムに関する入力部１０８からの入力を受け付けない状態に移行する。なお、携帯電話機１においては、通話中であっても、アイコンの選択操作や呼出メニューリストの操作によってアプリケーションプログラムを操作可能であるが、その処理過程については、ここでは詳述しない。
【００５５】
そして、ＣＰＵ１０１はオフフックキー５１（図１）が操作されるまで待機し、オフフックキー５１が操作されると（ステップＳ３４；Ｙｅｓ）、携帯電話機１と基地局（図示略）との間の無線通信回線を確立して、音声通話を行う通話処理に移行する（ステップＳ３５）。
【００５６】
通話が終了し、ユーザによってオンフックキー５２が操作されると（ステップＳ３６；Ｙｅｓ）、ＣＰＵ１０１は、通話を終了して、携帯電話機１と基地局（図示略）との間の無線通信回線を切断する終話処理を行う（ステップＳ３７）。
【００５７】
続いて、ＣＰＵ１０１は、待受画面を表示部１０７によって表示させ（ステップＳ３８）、ユーザからの操作に対する待機状態に移行する（ステップＳ３９）。
【００５８】
ここで、アプリケーション操作部４ないしキー入力部５において、呼出メニューリストの表示に関する操作が行われると（ステップＳ３９；Ｙｅｓ）、ＣＰＵ１０１は、表示部１０７によって呼出メニューリストを表示させる（ステップＳ４０）。
そして、呼出メニューリストに表示されたアプリケーションプログラムを選択指定する操作が行われると、ＣＰＵ１０１は、指定されたアプリケーションプログラムを実行状態に移行させる（ステップＳ４１）。この実行状態とは、ステップＳ３１で該アプリケーションプログラムを着信時に実行していた状態、すなわち、該アプリケーションプログラムに関する入力部１０８からの入力を受け付ける状態を指す。
【００５９】
なお、上記の処理において、ＲＯＭ１０２に格納されたアプリケーションプログラムは、その実行が指示されるとＲＡＭ１０３上に展開されて実行される。そして、アプリケーションプログラムの実行中に着信が発生すると、実行中の各アプリケーションプログラムに関する呼出メニューリストが作成され、ＲＡＭ１０３に格納される。
【００６０】
図６は、図５に示す処理において表示画面３（図１）に表示される画面の例を示す図であり、（ａ）はメール編集画面３１１を示し、（ｂ）は着信画面３１２を示し、（ｃ）は通話中画面３１３を示し、（ｄ）は待受画面３１４を示し、（ｅ）はメニュー画面３１５を示し、（ｆ）は呼出メニューリスト表示画面３１６を示し、（ｆ）はメール編集画面３１１を示す。
【００６１】
携帯電話機１において電子メール編集プログラムを実行した場合、表示画面３の画面上には、図６（ａ）に示すように、メール編集画面３１１が表示される。
【００６２】
ここで、携帯電話機１に着信があると、実行中の電子メール編集プログラムがアイコン化され、表示画面３の画面上には、図６（ｂ）に示すように着信画面３１２が表示される。
【００６３】
そして、オフフックキー５１（図１）が操作され、通話が開始されると、表示画面３の画面上には、図６（ｃ）に示すように通話中画面３１３が表示される。
【００６４】
その後、オンフックキー５２（図１）が操作され、通話が終了すると、表示画面３の画面上には、図６（ｄ）に示すように、待受画面３１４が表示される。
図６（ｄ）に示す待受画面３１４には、呼出メニューリストに追加されたアプリケーションプログラムがあることを示すメッセージアイコン３１４ａが表示されている。従って、ユーザが通話を終えた際、メッセージアイコン３１４ａを含む待受画面３１４が表示されることで、ユーザに対し、操作が中断したアプリケーションプログラムが呼出メニューリストに追加されていることを報知できる。
【００６５】
そして、アプリケーション操作部４ないしキー入力部５の操作によって、メニューリストの表示が指示されると、表示画面３の画面上には、図６（ｅ）に示すようにメニュー画面３１５が表示される。メニュー画面３１５は、携帯電話機１の設定やツールを選択するための項目がメニュー表示された画面である。そして、図６（ｅ）に示すメニュー画面３１５において、「３．アプリケーション」の項目は、呼出メニューリストを表示させるための項目である。すなわち、図６（ｅ）に示す例では、呼出メニューリストを表示させるための指示操作を、一般的に携帯電話機１が備えるメニュー機能の一部として対応づけている。なお、図６（ｅ）に示すメニュー画面の構成はあくまで一例であり、本発明の実現形態として、呼出メニューリストを表示させる操作を、一般的なメニュー機能と分離することも勿論可能である。
【００６６】
メニュー画面３１５が表示画面３に表示された状態で、さらに「３．アプリケーション」の項目を選択する操作が行われると、図６（ｆ）に示すように、表示画面３には呼出メニューリスト表示画面３１６が表示される。呼出メニューリスト表示画面３１６は、ＲＡＭ１０３に格納された呼出メニューリストの内容を表示する画面である。そして、呼出メニューリスト表示画面３１６においてアプリケーションプログラムが選択指定されると、指定されたアプリケーションプログラムが実行状態に移行され、図６（ｇ）に示すように、表示画面３にはメール編集画面３１１が表示される。
【００６７】
なお、図６（ｄ）に示す待受画面３１４に代えて、図６（ｈ）に示す待受画面３１７を用いることも可能である。待受画面３１７には、呼出メニューリストに追加されたアプリケーションプログラムがあることを示すメッセージ表示３１７ａが表示されている。この場合、ユーザが通話を終えた際、待受画面３１７が表示されることで、ユーザに対し、メッセージ表示３１７ａによって、操作が中断したアプリケーションプログラムが呼出メニューリストに追加されていることを報知できる。
【００６８】
従って、本第２の実施の形態における携帯電話機１によれば、上記第１の実施の形態と同様に、通話が終了した時点で表示画面３に待受画面３１４が表示されているので、この状態でオンフックキー５２を押下しても、動作の切り替えは行われない。これにより、通話終了時にオンフックキー５２を複数回操作してしまっても、待受画面３０４が表示されるので、誤操作に起因する処理が進行してしまう恐れがなく、携帯電話機１の操作を快適にすることができる。
【００６９】
また、携帯電話機１に着信が発生したために操作が中断されたアプリケーションプログラムがある場合は、待受画面３１４上のメッセージアイコン３１４ａにより、処理途中であったアプリケーションプログラムがある旨を、ユーザに対して報知できる。これにより、ユーザが、着信時に実行中であったアプリケーションプログラムを忘れてしまうことがない。
【００７０】
さらに、メニューリストに追加されたアプリケーションプログラムは、表示画面３にメニューリストを表示させた状態で選択指定し、容易に実行させることができる。これにより、携帯電話機１の利便性をより一層向上させることができる。
【００７１】
なお、上記の実施の形態において、携帯電話機１の画面上に表示されるアイコン、メッセージアイコン３１４ａ、メッセージ表示３１７ａ等は、通話が完了した時点で待受画面に表示されるものとしたが、本発明はこれに限定されるものではなく、通話中に表示されるようにしても良い。この場合、通話中であっても、操作が中断しているアプリケーションプログラムを呼び出して、操作を再開することが可能となる。
【００７２】
また、本体２における表示画面３、アプリケーション操作部４、キー入力部５、スピーカー６、マイク７、およびアンテナ８の各部の配置状態や形状等、具体的な細部構成については任意である。また、図４および図６に示した画面の構成や意匠等、その他の具体的な構成についても適宜に変更可能であることは勿論である。
【００７３】
【発明の効果】
本発明によれば、着信時に実行していた機能が非操作状態に移行されていることによって誤操作を受け付けないので、誤操作に起因する処理が進行してしまう恐れがない。また、非操作状態に移行された機能は、指定手段によって選択指定することで、容易に実行状態へ移行させることができる。これにより、利便性を損なうことなく、安心して快適に操作可能な携帯電話機を提供することができる。
【図面の簡単な説明】
【図１】本発明に係る第１の実施の形態における携帯電話機１の概略構成を示す外観図である。
【図２】図１の携帯電話機１が有する制御系１００の機能的構成を示すブロック図である。
【図３】図１に示す携帯電話機１の動作を示すフローチャートである。
【図４】図３の動作を実行する際に表示される画面の例を示す図であり、（ａ）はメール編集画面３０１を示し、（ｂ）は着信画面３０２を示し、（ｃ）は通話中画面３０３を示し、（ｄ）は待受画面３０４を示し、（ｅ）はメール編集画面３０１を示す。
【図５】本発明に係る第２の実施の形態における携帯電話機１の動作を示すフローチャートである。
【図６】図５の動作を実行する際に表示される画面の例を示す図であり、（ａ）はメール編集画面３１１を示し、（ｂ）は着信画面３１２を示し、（ｃ）は通話中画面３１３を示し、（ｄ）は待受画面３１４を示し、（ｅ）はメニュー画面３１５を示し、（ｆ）は呼出メニューリスト表示画面３１６を示し、（ｇ）はメール編集画面３１１を示し、（ｈ）は待受画面３１７を示す。
【符号の説明】
１  携帯電話機
２  本体
３  表示画面
４  アプリケーション操作部
５  キー入力部
６  スピーカー
７  マイク
８  アンテナ
１００  制御系
１０１  ＣＰＵ
１０２  ＲＯＭ
１０３  ＲＡＭ
１０４  ベースバンド部
１０５  ＲＦ部
１０６  コーデック
１０７  表示部
１０８  入力部
【図１】
0004117354.tif 000002
【図２】
0004117354.tif 000003
【図３】
0004117354.tif 000004
【図４】
0004117354.tif 000005
【図５】
0004117354.tif 000006
【図６】
0004117354.tif 000007